(57)【特許請求の範囲】
【請求項１】
多数のウェットティッシュを包装したウェットティッシュ包装体を収納するケース本体と、
前記ウェットティッシュ包装体を加温する加温部と、前記ウェットティッシュを取り出すウェットティッシュ取出部を有し、前記ケース本体の上部に取り付けられるケース上部枠体と、
前記ケース本体と前記ケース上部枠体と固定する固定手段と、
前記ケース本体と前記ケース上部枠体と分離する分離手段と
を備えたウェットティッシュ加温装置であって、
前記固定手段は、前記ケース本体と前記ケース上部枠体を係合固定する係合固定手段を備え、
前記係合固定手段の係合固定を解除する操作を行うための操作部材は、前記ケース本体側に取り付けられ、
前記操作部材の操作により前記係合固定手段の係合固定が解除されると、前記分離手段が前記ケース本体と前記ケース上部枠体を分離することを特徴とするウェットティッシュ加温装置。
【請求項２】
前記固定手段及び前記操作部材は、前記ケース本体と前記ケース上部枠体を係合固定した状態で、前記ケース本体と前記ケース上部枠体の側板側の対向する位置に対をなして設けられていることを特徴とする請求項１記載のウェットティッシュ加温装置。
【請求項３】
前記係合固定手段は、前記ケース本体側に取り付けられるケース本体側フック部材と、前記ケース上部枠体側に取り付けられるケース上部枠体側フック部材を備え、前記ケース本体側フック部材とケース上部枠体側フック部材が係合することにより、前記ケース本体と前記ケース上部枠体が係合固定されることを特徴とする請求項１又は請求項２記載のウェットティッシュ加温装置。
【請求項４】
前記係合固定手段は、前記ケース本体側フック部材が回動する回動機構を備え、前記操作部材の操作により、前記ケース本体側フック部材が回動し、前記係合固定手段の係合固定が解除されることを特徴とする請求項３記載のウェットティッシュ加温装置。
【請求項５】
前記回動機構は、回動部材と該回動部材を回動させる回動軸を備え、前記回動部材は、前記回動軸を挟んで一方の側に前記ケース本体側フック部材を有し、他方の側に前記操作部材となる押下部材を有していることを特徴とする請求項４記載のウェットティッシュ加温装置。
【請求項６】
押下部材は、前記ケース本体の側板に設けられた窓部から露出していることを特徴とする請求項５記載のウェットティッシュ加温装置。
【請求項７】
前記分離手段は、付勢部材により付勢された突出部材を備え、前記係合固定手段の係合固定が解除されると、前記突出部材が、前記ケース本体側と前記ケース上部枠体を分離させること特徴とする請求項１乃至は請求項６のいずれかに記載したウェットティッシュ加温装置。
【請求項８】
前記突出部材は、前記係合固定手段を挟んで対向する位置に対をなして設けられていることを特徴とする請求項７記載のウェットティッシュ加温装置。
【発明の詳細な説明】
【技術分野】
【０００１】
本発明は、ウェットティッシュを常温より高い温度まで加温して取り出せるようにしたウェットティッシュ加温装置に関するものである。
【背景技術】
【０００２】
ウェットティッシュは、包装袋、包装箱等の包装体に収納され、包装体から１枚ずつ取り出されて使用される。この場合、ウェットティッシュの包装体が置かれる部屋の温度が低くなる冬場等では、ウェットティッシュの温度も低くなり、使用者は、冷たいウエットティッシュを肌等に当てることとなり、特に、乳幼児や病人等に使用する場合、冷たいウエットティッシュを肌等に当てると乳幼児や病人等に不快感を与えることとなる。
このため包装体に収納されたウェットティッシュを常温より高い温度までに加温して取り出せるようにしたウェットティッシュ加温装置が使用されている。
このウェットティッシュ加温装置は、一般的にウェットティッシュ包装体を収容する収納部と、ウェットティッシュを加温する加温部と、ウェットティッシュと取り出す取出部を備えているが、ウェットティッシュの加温・保温性、ウェットティッシュの取出性等の機能を向上させるために種々の構造・機能を備えたウェットティッシュ加温装置が提案されている。
【０００３】
例えば、特許文献１（特開２０１５−２１６９９３号公報）には、ウェットティッシュ収納体を収容するための装置容器本体２と、装置容器本体２の上面開口を封止するように装置容器本体２に装着された上面封止部材３を備えたウェットティッシュ加熱装置１であって、上面封止部材３は、封止部材固定手段４によって、装置容器本体２に対して解放可能に固定され、装置容器本体２の内部には、ウェットティッシュ収納体を上面封止部材３の下面に向けて付勢するための収納体付勢手段５を備え、上面封止部材３の中央部にはウェットティッシュ取出し口８が形成され、蓋部材１０によって上面封止部材３の凹部９の上面が封止され、封止部材固定手段４は、フック機構を有する第１封止部材固定手段１３と、圧嵌（クランプ）機構を有する第２封止部材固定手段１４とを有し、上面封止部材３の内部には、ウェットティッシュ取出し口８を囲むようにして発熱体（収納体加熱手段）１５が設けられたウェットティッシュ加熱装置１が開示されている。
この特許文献１のウェットティッシュ加熱装置１においては、ウェットティッシュがなくなった場合、装置容器本体２から上面封止部材３を取り外し、装置容器本体２の上面開口から新しいウェットティッシュ収納体（包装体）をその中に入れた後、上面封止部材３を装置容器本体２に取り付けなければならない。
【０００４】
しかしながら、ウェットティッシュ加熱装置１における装置容器本体２への上面封止部材３の取り付け・取り外しは、第１封止部材固定手段１３の操作（上面封止部材３のフック部材１３Ａの装置容器本体２の係止縁１３Ｂへの係止・解除の操作）と第２封止部材固定手段１４の操作（上面封止部材３の係合片１４Ａの装置容器本体２の係合開口１４Ｂへの係合・解除の操作）を行う必要があり（引用文献１の段落［００３９］、［００４２］参照）、操作が面倒で煩わしく、時間がかかるという問題がある。
また、ウェットティッシュを加温しているときにウェットティッシュがなくなり、新しいウェットティッシュ収納体（包装体）に取り換える場合、上面封止部材３の内部には発熱体があることから、上面封止部材３が加温されて５０度前後に熱くなっており、作業者は、熱くなった上面封止部材３を手で持って、第１封止部材固定手段１３と第２封止部材固定手段１４を操作し、装置容器本体２への上面封止部材３の取り付け・取り外しを行わなければならず、ウェットティッシュ収納体（包装体）の交換作業がやりずらいという問題がある。
【先行技術文献】
【特許文献】
【０００５】
【特許文献１】特開２０１５−２１６９９３号公報
【発明の概要】
【発明が解決しようとする課題】
【０００６】
本発明が解決しようとする第１の課題は、ウェットティッシュ包装体を収納して加温するウェットティッシュ加温装置において、ウェットティッシュ包装体の交換作業時に、ウェットティッシュ加温装置を構成する部材の取り付け・取り外しが簡単に行えるとともに、部材の取り付け・取り外しの際に、作業者が加温された部材を手で操作する作業を極力少なくして、作業の煩わしさを軽減することである。
【課題を解決するための手段】
【０００７】
請求項１の発明は、多数のウェットティッシュを包装したウェットティッシュ包装体を収納するケース本体と、前記ウェットティッシュ包装体を加温する加温部と、前記ウェットティッシュを取り出すウェットティッシュ取出部を有し、前記ケース本体の上部に取り付けられるケース上部枠体と、前記ケース本体と前記ケース上部枠体と固定する固定手段と、前記ケース本体と前記ケース上部枠体と分離する分離手段とを備えたウェットティッシュ加温装置であって、前記固定手段は、前記ケース本体と前記ケース上部枠体を係合固定する係合固定手段を備え、前記係合固定手段の係合固定を解除する操作を行うための操作部材は、前記ケース本体側に取り付けられ、前記操作部材の操作により前記係合固定手段の係合固定が解除されると、前記分離手段が前記ケース本体と前記ケース上部枠体を分離することを特徴とするウェットティッシュ加温装置を提供して、上記課題を解決するものである。
【０００８】
請求項２の発明は、前記固定手段及び前記操作部材は、前記ケース本体と前記ケース上部枠体を係合固定した状態で、前記ケース本体と前記ケース上部枠体の側板側の対向する位置に対をなして設けられているウェットティッシュ加温装置を提供して、上記課題を解決するものである。
【０００９】
請求項３の発明は、前記係合固定手段は、前記ケース本体側に取り付けられるケース本体側フック部材と、前記ケース上部枠体側に取り付けられるケース上部枠体側フック部材を備え、前記ケース本体側フック部材とケース上部枠体側フック部材が係合することにより、前記ケース本体と前記ケース上部枠体が係合固定されるウェットティッシュ加温装置を提供して、上課題を解決するものである。
【００１０】
請求項４の発明は、前記係合固定手段は、前記ケース本体側フック部材が回動する回動機構を備え、前記操作部材の操作により、前記ケース本体側フック部材が回動し、前記係合固定手段の係合固定が解除されるウェットティッシュ加温装置を提供して、上記課題を解決するものである。
【００１１】
請求項５の発明は、前記回動機構は、回動部材と該回動部材を回動させる回動軸を備え、前記回動部材は、前記回動軸を挟んで一方の側に前記ケース本体側フック部材を有し、他方の側に前記操作部材となる押下部材を有しているウェットティッシュ加温装置を提供して、上課題を解決するものである。
【００１２】
請求項６の発明は、押下部材は、前記ケース本体の側板に設けられた窓部から露出しているウェットティッシュ加温装置を提供して、上記課題を解決するものである。
【００１３】
請求項７の発明は、前記分離手段は、付勢部材により付勢された突出部材を備え、前記係合固定手段の係合固定が解除されると、前記突出部材が、前記ケース本体側と前記ケース上部枠体を分離させるウェットティッシュ加温装置を提供して、上記課題を解決するものである。
【００１４】
請求項８の発明は、前記突出部材は、前記係合固定手段を挟んで対向する位置に対をなして設けられているウェットティッシュ加温装置を提供して、上記課題を解決するものである。
【発明の効果】
【００１５】
請求項１に記載の発明のウェットティッシュ加温装置においては、ウェットティッシュ包装体の交換作業時に、ウェットティッシュ加温装置を構成する部材の取り付け・取り外しが簡単に行えるとともに、部材の取り付け・取り外しの際に、作業者が加温された部材を手で操作する作業を極力少なくして、作業の煩わしさを軽減するという効果を奏する。
【００１６】
請求項２に記載の発明のウェットティッシュ加温装置においては、さらに、左右バランスよく部材の取り付け・取り外しができるという効果を奏する。
【００１７】
請求項３に記載の発明のウェットティッシュ加温装置においては、さらに、簡単な機構により確実にケース本体とケース上部枠体を係合固定できるという効果を奏する。
【００１８】
請求項４に記載の発明のウェットティッシュ加温装置においては、さらに、簡単な操作で係合固定手段の係合固定を解除できるという効果を奏する。
【００１９】
請求項５に記載の発明のウェットティッシュ加温装置においては、さらに、押下部材を操作するだけで係合固定手段の係合固定を解除できるという効果を奏する。
【００２０】
請求項６に記載の発明のウェットティッシュ加温装置においては、さらに、押下部材の操作がワンタッチで行えるという効果を奏する。
【００２１】
請求項７に記載の発明のウェットティッシュ加温装置においては、さらに、係合固定手段の係合固定が解除されと自動的にケース本体側と前記ケース上部枠体を分離されるという効果を奏する。
【００２２】
請求項８に記載の発明のウェットティッシュ加温装置においては、さらに、左右バランスよくケース本体側と前記ケース上部枠体が分離されるという効果を奏する。
【図面の簡単な説明】
【００２３】
【図１】本発明の実施形態であるウェットティッシュ加温装置の斜視図である。
【図２】図１に示すウェットティッシュ加温装置の平面図である。
【図３】図１に示すウェットティッシュ加温装置の分解斜視図である。
【図４】ケース上部枠体３において、下枠４とケース蓋体５を分離した状態の斜視図である。
【図５】枠４に設けられた加温部の制御構成を示すブロック図である。
【図６】図３に示す右ラック１０の分解斜視図である。
【図７】図２のＡ−Ａ断面図である。
【図８】図２のＢ−Ｂ断面図である。
【図９】図７のＡ１部拡大図とＡ２部拡大図である。
【図１０】図８のＢ１部拡大図とＢ２部拡大図である。
【図１１】押ボタン部１４ｂ、２４ｂを押し込んだ状態における図２のＡ−Ａ断面図である。
【図１２】図１１のＣ１部拡大図とＣ２部拡大図である。
【図１３】突出ピン１７ｂ、２７ｂ等が下枠４の底板４ａを押し上げた状態における図２のＢ−Ｂ断面図である。
【図１４】図１３のＤ１部拡大図とＤ２部拡大図である。
【発明を実施するための形態】
【００２４】
［ウェットティッシュ加温装置の構成］
図１は、本発明の実施形態であるウェットティッシュ加温装置の斜視図、図２は、図１に示すウェットティッシュ加温装置の平面図、図３は、図１に示すウェットティッシュ加温装置の分解斜視図である。
図中、１はウェットティッシュ加温装置、２はケース本体、２ａは底板、２ｂは側板、２ｍ１、２ｍ２は窓部、３はケース上部枠体、４は下枠、５はケース蓋体、５ａは上板、５ｂは側板、６は開閉カバー、７はスライドトレー、７ａは載置面、７ｂ、７ｃはラック挿通部、８はバネ、１０は右ラック、１１ａ、１１ｂは枠板、１３は上部枠、１４は回動部材、２０は左ラック、２１ａ、２１ｂは枠板、２２は連結板、２３は上部枠、ＴＳはサーモスイッチ、ＷＴＰはウェットティッシュ包装体である。
図に示すように、ウェットティッシュ加温装置１は、ケース本体２とケース上部枠体３を備えている。
ケース本体２は、底板２ａと側板２ｂからなる箱体であり、側板２ｂの右側と左側には窓部２ｍ１、２ｍ２が設けられている。
ケース上部枠体３は、下枠４と、ケース蓋体５を備え、下枠４の上部にケース蓋体５が嵌め込み固定されている。
ケース蓋体５は、上板５ａと側板５ｂからなる扁平な箱体であり、上板５ａの中央部の開口部には開閉カバー６が取り付けられ、上板５ａの上面右隅には、下枠４に設けられた加温部（後述する）の温度を調整するサーモスイッチＴＳが設けられている。
スライドトレー７は、中央部が載置面７ａとなっており、左端側と右端側には、コの字に凹んだラック挿通部７ｂ、７ｃが設けられている。
右ラック１０は、枠板１１ａ、１１ｂ、上部枠１３、回動部材１４等を備え、左ラック２０も、右ラック１０と同様に、枠板２１ａ、２１ｂ、連結板２２、上部枠２３、回動部材等を備え、右ラック１０と左ラック２０は、同一構造となっている（詳細は後述する。）。
【００２５】
そして、ウェットティッシュ加温装置１は、おおよそ次のようにして組み立てられる。
まず、ケース本体２の底板２ａの左側部と右側部に設けられた取付部材（図示せず）に、左ラック１０と右ラック２０の下端部が取り付け固定され、ケース本体２の底板２ａの中央に設けられた取付部材（図示せず）にバネ８の下端部が取り付けられる。
次いで、スライドトレー７のラック挿通部７ｂ、７ｃに右ラック１０と左ラック２０が挿通するようにし、スライドトレー７の載置面７ａの下側に設けられた取付部材（図示せず）にバネ８の上端部が取り付けられ、スライドトレー７の載置面７ａの上にウェットティッシュ包装体ＷＴＰ（図３に二点鎖線で示す）が載せられる。
最後に、ケース上部枠体３が、ケース本体２の上部に嵌め込み固定される。
そして、スライドトレー７は、バネ８の復元力により、ケース本体２の側板２ｂの内面に設けられたガイドリブ（図示せず）に沿って上昇するようになっている。
すなわち、ウェットティッシュ包装体ＷＴＰからウェットティッシュが使用されてウェットティッシュ包装体ＷＴＰの高さが小さくなると、バネ８の復元力により、スライドトレー７が上昇し、ウェットティッシュ包装体ＷＴＰの上面が常にケース上部枠体３の下枠４に押し付けられるようになっている。
【００２６】
図４は、ケース上部枠体３において、下枠４とケース蓋体５を分離した状態の斜視図であり、図中、４ａは底板、４ａｋは開口部、４ｂは側板、４ｎ１は抜き穴、５ｃは凹部、５ｄは取出口、５ｅ、５ｆはガイド穴、６ａ、６ｂは開閉アーム、ＣＮは電源コネクター、ＣＢは回路基板、ＫＣは加熱ケーブルである。
図４に示すように、下枠４は、底板４ａと側板４ｂからなる上げ底の扁平な箱体であり、底面４ａの中央には開口部４ａｋが設けられ、底板４ａの左端側には、底板４ａの下面から下側に突出するフック部（後述する）を形成するための抜き穴４ｎ１が設けられ、底板４ａの右端側には、同様の抜き穴が設けられている。
また、底板４ａの上面の開口部４ａｋの周囲には、加熱ケーブルＫＣが取り付けられ、底板４ａの上面の左側には、回路基板ＣＢが取り付けられ、側板４ｂの奥側の上縁部には、電源コネクターＣＮが取り付けられ、加熱ケーブルＫＣ、回路基板ＣＢ、電源コネクターＣＮ、サーモスイッチＴＳ等により、ウェットティッシュ包装体ＷＴＰに包装されたウェットティッシュを加温する加温部が形成される。
次に、ケース蓋体５において、上板５ａの中央には、すり鉢状の凹部５ｃが形成され、凹部５ｃの底面には取出口５ｄが設けられ、すり鉢状の凹部５ｃの奥側の傾斜面には、ガイド穴５ｅ、５ｆが設けられている。
また、ケース蓋体５の内側には、開閉アーム６ａ、６ｂをガイド穴５ｅ、５ｆに沿って移動させる開閉アーム移動機構（図示せず）が設けられ、開閉アーム６ａ、６ｂの一端は、開閉カバー６の下面に取り付けられ、開閉アーム６ａ、６ｂの他端は、開閉アーム移動機構に取り付けられている
そして、開閉カバー６は、開閉アーム移動機構により、ケース蓋体５の凹部５ｃを塞ぐ位置（図１、３に示す位置）と、ケース蓋体５の凹部５ｃを開口する位置（図４に示す位置）との間を移動するようになっている。
この場合、下枠４の開口部４ａｋとケース蓋体５の取出口５ｄが重なり、ウェットティッシュ包装体ＷＴＰのウェットティッシュ取出部は開口部４ａｋの位置にあることから、ケース蓋体５の凹部５ｃと開閉カバー６で、ウェットティッシュ取出部が形成され、開閉カバー６を開く（図４の状態にする）ことにより、取出口５ｄから、ウェットティッシュ包装体ＷＴＰのウェットティッシュを取り出すことができる。
【００２７】
図５は、下枠４に設けられた加温部の制御構成を示すブロック図であり、図中、３０は加温部、３１はコントローラー、３２は電源、３３は温度センサーである。
図５に示すように、加温部３０は、コントローラー３１、電源３２、温度センサー３３、加熱ケーブルＫＣ、サーモスイッチＴＳを備えている。
コントローラー３１は、電源か３２から加熱ケーブルＫＣに供給される電流を制御して、加温部３０の温度（ウェットティッシュ包装体ＷＴＰを加温する温度）を制御する。
電源３２は、電源コネクターＣＮにより接続される家庭用の外部電源であり、加熱ケーブルＫＣに電流を供給する。
温度センサー３３は、加温部３０の温度を検出し、検出した温度をコントローラー３１に与える。
加熱ケーブルＫＣは、内部に発熱線が収納されたケーブルであり、電源から供給される電流によって発熱し、ウェットティッシュ包装体ＷＴＰを加温する。
サーモスイッチＴＳは、加温部３０の温度を調整するスッチであり、温度表示部を備え、調整する温度を温度表示部に表示する。
そして、加温部３０においては、サーモスイッチＴＳによってウェットティッシュ包装体ＷＴＰを加温する温度が設定され、温度センサー３３が検出する温度に基づいて、コントローラー３１が加熱ケーブルＫＣに電流を制御して、加温部３０の温度をサーモスイッチＴＳで設定された温度に保たれる。
なお、本発明の加温部は、図５に示す加温部３０に限定されるものではなく、サーモスイッチＴＳやコントローラー３１等を備えず、電源と加熱ケーブルＫＣを直接接続し、定温で加熱し、ネオンランプを設け、加熱中はネオンランプが点灯するようにしてもよい。
【００２８】
［係合固定手段、分離手段］
次に、本発明の係合固定手段、分離手段について説明する。
図６は、図３に示す右ラック１０の分解斜視図であり、図中、１１ａｈ、１１ｂｈは軸穴、１３ａ、１３ｂはピン穴、１４ａはフック部、１４ａｔは爪、１４ｂは押ボタン部、１４ｈは軸穴、１５はバネ、１６は回動軸、１７ａ、１７ｂは突出ピン、１７ａ１、１７ｂ１は突出部、１７ａ２、１７ｂ２は鍔部、１７ａ３、１７ｂ３は下側部、１８ａ、１８ｂはバネである。
図６に示すように、右ラック１０においては、上部枠１３の下側に枠板１１ａ、１１ｂと連結板（左ラック２０の連結板２２と同じもの）が取り付けられて枠体が形成され、この枠体の右側面側に回動部材１４とバネ１５が組み込まれる。
回動部材１４は、本発明のケース本体側フック部材となるフック部１４ａと、本発明の押下部材となる押ボタン部１４ｂを備え、軸穴１４ｈが設けられ、フック部１４ａの先端には、爪１４ａｔが形成されている。
そして、回動軸１６が、枠板１１ａ、１１ｂの軸穴１１ａｈ、１１ｂｈと回動部材１４の軸穴１４ｈを挿通するように取り付けられ、これにより、回動部材１４は、枠板１１ａ、１１ｂに回動自在に支持される。
突出ピン１７ａ、１７ｂは、本発明の突出部材となるもので、突出部１７ａ１、１７ｂ１、鍔部１７ａ２、１７ｂ２及び下側部１７ａ３、１７ｂ３を備えている。
バネ１８ａ、ｖ８ｂは、本発明の付勢部材となるもので、突出ピン１７ａ、１７ｂの下側部１７ａ３、２１ｂ３に取り付けられる。
そして、突出部１７ａ１、１７ｂ１がピン穴１３ａ、１３ｂから突出するように、突出ピン１７ａ、１７ｂとバネ１８ａ、１８ｂａが上部枠１３に取り付けられる。
また、左ラック２０も、右ラック１０と同様の構造を有している。
【００２９】
図７は、図２のＡ−Ａ断面図（回動部材１４の前後方向中央を通る縦断面図）、図８は、図２のＢ−Ｂ断面図（突出ピン１７ｂの中心を通る縦断面図）、図９（ａ）は、図７のＡ１部拡大図、図９（ｂ）は、図７のＡ２部拡大図、図１０（ａ）は、図８のＢ１部拡大図、図１０（ｂ）は、図８のＢ２部拡大図である。
図中、４ｃ、４ｄはフック部、４ｃｔ、４ｄｔは爪、４ｎ２は抜き穴、１２は連結板、１２ａは止部、２２ａは止部、２３ｂはピン穴、２４は回動部材、２４ａはフック部、２４ａｔは爪、２４ｂは押ボタン部、２５はバネ、２６は回動軸、２７ｂは突出ピン、２７ｂ１は突出部、２７ｂ２は鍔部、２７ｂ３は下側部、２８ｂはバネである。
図７、図９（ｂ）に示すように、ウェットティッシュ加温装置１の前後方向中央部の右側部において、下枠４の下側には右ラック１０が配置され、下枠４の底板４ａの下面には、本発明のケース上部枠体側フック部材となるフック部４ｃが垂下して設けられ、フック部４ｃの先端には爪４ｃｔが形成され、フック部４ｃの下側には、右ラック１０の回動部材１４のフック部１４ａが位置し、連結板１２と回動部材１４の押ボタン部１４ｂとの間には少し圧縮された状態のバネ１５が取り付けられている。
そして、バネ１５の復元力により、押ボタン部１４ｂが右方向に押されて、回動部材１４が回動軸１６を中心に反時計回りに回動し、フック部４ｃの爪４ｃｔとフック部１４ａの爪１４ａｔが係合し、これにより、ケース本体２の右側部分とケース上部枠体３の右側部分が固定される。
このとき、回動部材１４の押ボタン部１４ｂは、ケース本体２の窓部２ｍ１から露出している。
また、図７、図９（ａ）に示すように、ウェットティッシュ加温装置１の前後方向中央部の左側部において、下枠４の下側には左ラック２０が配置され、下枠４の底板４ａの下面には、本発明のケース上部枠体側フック部材となるフック部４ｄが垂下して設けられ、フック部４ｄの先端には爪４ｄｔが形成され、フック部４ｄの下側には、左ラック２０の回動部材２４のフック部２４ａが位置し、フック部２４ａの先端には爪２４ａｔが形成され、連結板２２と回動部材２４の押ボタン部２４ｂとの間には少し圧縮された状態のバネ２５が取り付けられている。
そして、バネ２５の復元力により、押ボタン部２４ｂが左方向に押されて、回動部材２４が回動軸２６を中心に時計回りに回動し、フック部４ｄの爪４ｄｔとフック部２４ａの爪２４ａｔが係合し、これにより、ケース本体２の左側部分とケース上部枠体３の左側部分が固定される。
このとき、回動部材２４の押ボタン部２４ｂは、ケース本体２の窓部２ｍ２から露出している。
【００３０】
上述のようにフック部４ｃ、４ｄの爪４ｃｔ、４ｄｔとフック部１４ａ、２４の爪１４ａｔ、２４ａｔが係合し、ケース本体２とケース上部枠体３が固定されている状態（図７、９に示す状態）においては、下枠４の底板４ａの下面が、右ラック１０の上部枠１３の上面と、左ラック２０の上部枠２３の上面に接するか近接している。
この場合、図８、図１０（ｂ）に示すように、右ラック１０において、下枠４の底板４ａが、突出ピン１７ｂを押し下げて鍔部１７ｂ２が下がり、バネ１８ｂの下端は連結板１２の止部１２ａに固定されていることから、バネ１８ｂが圧縮される。右ラック１０のもう一方の突出ピン１７ａも、下枠４の底板４ａにより押し下げられて、バネ１８ａが圧縮される。
また、図８、図１０（ａ）に示すように、左ラック２０においても、下枠４の底板４ａが、突出ピン２７ｂを押し下げて鍔部２７ｂ２が下がり、バネ２８ｂの下端は連結板１２の止部１２ａに固定されていることから、バネ２８ｂが圧縮される。左ラック２０のもう一方の突出ピン（突出ピン２７ｂと同じ突出ピン）も、下枠４の底板４ａにより押し下げられて、バネ（バネ２８ｂと同じバネ）が圧縮される。
【００３１】
［ケース本体２とケース上部枠体３の分離］
ウェットティッシュ加温装置１において、ウェットティッシュ包装体ＷＴＰの中のウェットティッシュがなくなった場合、ケース本体２からケース上部枠体３を分離して取り外し、ケース本体２から古いウェットティッシュ包装体ＷＴＰを取り出して、新しいウェットティッシュ包装体ＷＴＰに付け替え、再びケース本体２にケース上部枠体３を取り付ける必要がある。
この場合のケース本体２とケース上部枠体３の分離等は以下のようにして行われる。
まず、図７に示すようにケース本体２とケース上部枠体３が固定されている状態において、作業者が、ケース本体２の左右の窓部２ｍ１、２ｍ２から露出している押ボタン部１４ｂ、２４ｂを指で押し込む。
図１１は、押ボタン部１４ｂ、２４ｂを押し込んだ状態における図２のＡ−Ａ断面図、図１２（ａ）は、図１１のＣ１部拡大図、図１２（ｂ）は、図１１のＣ２部拡大図である。
図１１、図１２（ｂ）に示すように、右側の押ボタン部１４ｂを押し込むことにより、バネ１５が圧縮され、回動部材１４が回動軸１６を中心に時計回りに回動し、フック部４ｃの爪４ｃｔとフック部１４ａの爪１４ａｔの係合が解除される（外れる）。
また、図１１、図１２（ａ）に示すように、左側の押ボタン部２４ｂを押し込むことにより、バネ２５が圧縮され、回動部材２４が回動軸２６を中心に反時計回りに回動し、フック部４ｄの爪４ｄｔとフック部２４ａの爪２４ａｔの係合が解除される（外れる）。
【００３２】
このようにして下枠４の底板４ａから垂下しているフック部４ｃ、４ｄ（爪４ｃｔ、４ｄｔ）と回動部材１４、２４のフック部１４ａ、２４ａ（爪１４ａｔ、２４ａｔ）の係合が解除されると、突出ピン１７ｂ、２７ｂ等が下枠４の底板４ａを押し上げ、ケース本体２からケース上部枠体３を分離する。
図１３は、突出ピン１７ｂ、２７ｂ等が下枠４の底板４ａを押し上げた状態における図２のＢ−Ｂ断面図、図１４（ａ）は、図１３のＤ１部拡大図、図１４（ｂ）は、図１３のＤ２部拡大図である。
図１３、図１４（ｂ）に示すように、ウェットティッシュ加温装置１の右側において、フック部４ｃの爪４ｃｔとフック部１４ａの爪１４ａｔの係合が解除されると、バネ１８ｂの復元力により、突出ピン１７ｂが上昇して突出部１７ｂ１がピン穴１３ｂから突出し、同時に、バネ１８ａの復元力により、突出ピン１７ａが上昇して突出部１７ａ１がピン穴１３ａから突出し、突出ピン１７ａ、１７ｂ（突出部１７ａ１、１７ｂ１）が下枠４の底板４ａを押し上げ、これにより、ケース上部枠体３の右側部分がケース本体２の右側部分から分離される。
また、図１３、図１４（ａ）に示すように、ウェットティッシュ加温装置１の左側において、フック部４ｄの爪４ｄｔとフック部２４ａの爪２４ａｔの係合が解除されると、バネ２８ｂの復元力により、突出ピン２７ｂが上昇して突出部２７ｂ１がピン穴２３ｂから突出すし、同時に、手前側のバネの復元力により、手前側の突出ピンが上昇してその突出部がピン穴から突出し、突出ピン２７ｂ等が下枠４の底板４ａを押し上げ、これにより、ケース上部枠体３の左側部分がケース本体２の左側部分から分離される。
このようにしてケース上部枠体３がケース本体２から分離されると、ケース上部枠体３をケース本体２から取り外し、ケース本体２から古いウェットティッシュ包装体ＷＴＰを取り出して、新しいウェットティッシュ包装体ＷＴＰに付け替え、再び、ケース上部枠体３をケース本体２に被せて、下枠４の底板４ａのフック部４ｃ、４ｄ（爪４ｃｔ、４ｄｔ）と回動部材１４、３４のフック部１４ａ、２４ａ（爪１４ａｔ、２４ａｔ）を係合させ、これにより、ケース本体２とケース上部枠体３が固定される。
なお、本発明の分離手段は、突出ピン１７ａ等とバネ１８ａ等を組み合わせたものに限定されるものではなく、バネ１８ａに代えてシリコンゴム等のゴム部材等の弾性部材を使用してもよく、また、ケース本体２とケース上部枠体３が当接する部分に、同極の磁石を取り付け、磁石の反発によってケース本体２とケース上部枠体３を分離するようにしてもよい。
【００３３】
以上のように、ウェットティッシュ加温装置１においては、作業者が、ケース本体２の左右の窓部２ｍ１、２ｍ２から露出している押ボタン部１４ｂ、２４ｂを指で押し込むだけで、下枠４の底板４ａのフック部４ｃ、４ｄ（爪４ｃｔ、４ｄｔ）と回動部材１４、３４のフック部１４ａ、２４ａ（爪１４ａｔ、２４ａｔ）の係合が解除され、突出ピン１７ａ、１７ｂ、２７ｂ等が下枠４の底板４ａを押し上げて、ケース本体２からケース上部枠体３を分離するため、ウェットティッシュ包装体ＷＴＰを加温しているときにウェットティッシュがなくなり、新しいウェットティッシュ包装体ＷＴＰに取り換える場合に、作業者が、加温されて熱くなったケース上部枠体３を手で持って作業することなく、ケース本体２とケース上部枠体３が分離され、作業者に煩わしさを与えることなく、きわめて簡単にケース本体２からケース上部枠体３を取り外すことができる。
【産業上の利用可能性】
【００３４】
本発明のウェットティッシュ加温装置は、ウェットティッシュ包装体の交換作業時に、ウェットティッシュ加温装置を構成する部材の取り付け・取り外しが簡単に行えるとともに、部材の取り付け・取り外しの際に、作業者が加温された部材を手で操作する作業を極力少なくして、作業の煩わしさを軽減し、各種ウェットティッシュ加温装置に利用することができる。
【符号の説明】
【００３５】
１  ウェットティッシュ加温装置
２  ケース本体
２ａ  底板
２ｂ  側板
２ｍ１、２ｍ２  窓部
３  ケース上部枠体
４  下枠
４ａ  底板
４ａｋ  開口部
４ｂ  側板
４ｃ、４ｄ  フック部
４ｃｔ、４ｄｔ  爪、
４ｎ１、４ｎ２  抜き穴、
５  ケース蓋体
５ａ  上板
５ｂ  側板
５ｃ  凹部
５ｄ  取出口
５ｅ、５ｆ  ガイド穴
６  開閉カバー
６ａ、６ｂ  開閉アーム
７  スライドトレー
７ａ  載置面
７ｂ、７ｃ  ラック挿通部
８  バネ
１０  右ラック
１１ａ、１１ｂ  枠板
１１ａｈ、１１ｂｈ  軸穴
１２  連結板
１２ａ  止部
１３  上部枠
１３ａ、１３ｂ  ピン穴
１４  回動部材
１４ａ  フック部
１４ａｔ  爪
１４ｂ  押ボタン部
１４ｈ  軸穴
１５  バネ
１６  回動軸
１７ａ、１７ｂ  突出ピン
１７ａ１、１７ｂ１  突出部
１７ａ２、１７ｂ２  鍔部
１７ａ３、１７ｂ３  下側部
１８ａ、１８ｂ  バネ
２０  左ラック
２１ａ、２１ｂ  枠板
２２  連結板
２２ａ  止部
２３  上部枠
２３ｂ  ピン穴
２４  回動部材
２４ａ  フック部
２４ａｔ  爪
２４ｂ  押ボタン部
２５  バネ
２６  回動軸
２７ｂ  突出ピン
２７ｂ１  突出部
２７ｂ２  鍔部
２７ｂ３  下側部
２８ｂ  バネ
３０  加温部
３１  コントローラー
３２  電源
３３  温度センサー
ＣＮ  電源コネクター
ＣＢ  回路基板
ＫＣ  加熱ケーブル
ＴＳ  サーモスイッチ
ＷＴＰ  ウェットティッシュ包装体
【要約】
【課題】ウェットティッシュ包装体の交換作業時の部材の取り付け・取り外しの際に、作業者が加温された部材を手で操作する作業を極力少なくして、作業の煩わしさを軽減する。
【解決手段】ウェットティッシュ包装体ＷＴＲを収納するケース本体と、ウェットティッシュ包装体ＷＴＲを加温する加温部３０と、ケース本体２の上部に取り付けられるケース上部枠体２と、ケース本体２とケース上部枠体３と固定する固定手段と、ケース本体２とケース上部枠体３と分離する分離手段とを備え、前記固定手段は、ケース本体２とケース上部枠体３を係合固定する係合固定手段を備え、前記係合固定手段の係合固定を解除する操作を行うための押ボタン部１４ｂ、２４ｂは、ケース本体２側に取り付けられ、押ボタン部１４ｂ、２４ｂの操作により前記係合固定手段の係合固定が解除されると、前記分離手段がケース本体２とケース上部枠体３を分離するウェットティッシュ加温装置１。
【選択図】図１【図１】
0006808875.tif 000002
【図２】
0006808875.tif 000003
【図３】
0006808875.tif 000004
【図４】
0006808875.tif 000005
【図５】
0006808875.tif 000006
【図６】
0006808875.tif 000007
【図７】
0006808875.tif 000008
【図８】
0006808875.tif 000009
【図９】
0006808875.tif 000010
【図１０】
0006808875.tif 000011
【図１１】
0006808875.tif 000012
【図１２】
0006808875.tif 000013
【図１３】
0006808875.tif 000014
【図１４】
0006808875.tif 000015